(57)【要約】      （修正有）【課題】ほこりを容易にはたくことができるだけでなく、構造が簡単な掃除機用ブラシ構造を提供する。【解決手段】掃除機用ブラシ構造は、第１取り付け部材１１０と、第１取り付け部材により保持され、先端が第１取り付け部材に対してＸＹ平面において揺動可能であり、先端１２０ａには、ブラシヘッド１３０が取り付けられ、後端１２０ｂには、長さがＺ方向へ延在している第１スロット１２１が設けられた第２取り付け部材１２０と、第２取り付け部材の後方で保持され、先端１４０ａには、回転部１４０の回転軸心Ｌ１に対して偏心する連結部材１４１が設けられ、連結部材が第１スロットに挿入される回転部と、を備え、第１スロットの長さは、連結部材がＹＺ平面において回転部の回転軸心回りに自在に回動することを可能にするように設定され、回転部が回転駆動されると、連結部材は、第２取り付け部材を揺動駆動する。【選択図】図１
0003229225.tif 000002
【実用新案登録請求の範囲】
【請求項１】
掃除機用ブラシ構造であって、
第１取り付け部材と、
前記第１取り付け部材により保持され、先端が前記第１取り付け部材に対してＸＹ平面において揺動可能であり、先端には、ブラシヘッドが取り付けられ、後端には、長さがＺ方向へ延在している第１スロットが設けられた第２取り付け部材と、
回転軸心を有し、前記第２取り付け部材の後方で保持され、先端には、前記回転軸心に対して偏心する連結部材が設けられ、前記連結部材が前記第１スロットに挿入される回転部と、を備え、
前記第１スロットの長さは、前記連結部材がＹＺ平面において前記回転部の回転軸心回りに自在に回動することを可能にするように設定され、
前記回転部が回転駆動されると、前記連結部材は、前記第２取り付け部材を揺動駆動する、ことを特徴とする掃除機用ブラシ構造。
【請求項２】
前記回転部の前記回転軸心に対する前記連結部材の最外側から、前記回転部の前記回転軸心までの距離が、２〜１２ｍｍである、ことを特徴とする請求項１に記載の掃除機用ブラシ構造。
【請求項３】
前記第２取り付け部材の後端には、径方向において貫通する第２スロットが設けられ、前記第２スロットと前記第１スロットは連通しており、前記第２スロットの長さが前記第１スロットの長さ以上である、ことを特徴とする請求項１に記載の掃除機用ブラシ構造。
【請求項４】
前記第１取り付け部材のＺ方向の中央部には、第３スロットが設けられ、前記第２取り付け部材の後端が前記第３スロットに収納される、ことを特徴とする請求項１に記載の掃除機用ブラシ構造。
【請求項５】
前記回転部は、空気圧吸引力により回転駆動され、その周方向に分布している複数の羽根が設けられている、ことを特徴とする請求項１に記載の掃除機用ブラシ構造。
【請求項６】
ハウジングをさらに備え、前記第１取り付け部材、前記第２取り付け部材の後端及び前記回転部は前記ハウジング内に収納され、前記第２取り付け部材の先端及び前記ブラシヘッドは前記ハウジングの先端外へ突出する、ことを特徴とする請求項１から５のいずれか１項に記載の掃除機用ブラシ構造。
【請求項７】
前記ブラシヘッドは、前記第２取り付け部材の先端に取り外し可能に取り付けられる、ことを特徴とする請求項６に記載の掃除機用ブラシ構造。
【請求項８】
Ｚ方向の両端がそれぞれ前記ハウジングに架設されたヒンジピンをさらに備え、
前記第１取り付け部材には、Ｚ方向において貫通する第１ヒンジ孔が設けられ、前記第２取り付け部材には、前記第１ヒンジ孔と合わせた第２ヒンジ孔が設けられ、
前記ヒンジピンが前記第１ヒンジ孔と前記第２ヒンジ孔のそれぞれに挿通されることによって、前記第１取り付け部材は前記ハウジング内に固定され、前記第２取り付け部材は前記第１取り付け部材に対して揺動する、ことを特徴とする請求項６に記載の掃除機用ブラシ構造。
【請求項９】
前記ハウジング内に収納され且つ前記回転部の後方に位置し、前記回転部の後端を支持する第１軸受けが取り付けられるブラケットをさらに備え、
前記第１取り付け部材のＺ方向の中央部には、第２軸受けが取り付けられ、前記第２軸受けは前記回転部の先端を支持する、ことを特徴とする請求項６に記載の掃除機用ブラシ構造。
【請求項１０】
集塵管を有する掃除機であって、
前記集塵管の先端には、請求項１から９のいずれか１項に記載の掃除機用ブラシ構造が取り付けられ、少なくとも前記ブラシヘッドの先端は、前記集塵管の先端外へ突出する、ことを特徴とする掃除機。
【考案の詳細な説明】
【技術分野】
【０００１】
本考案は家庭用機器の技術分野に関し、特に掃除機用ブラシ構造及び掃除機に関する。
【背景技術】
【０００２】
従来の家庭用掃除機の動作原理は次のとおりである。モータが羽根を高速回転させ、密閉された掃除機のキャビティ内に空気負圧が発生してほこりを吸引する。掃除機は、通常、床に飛散したほこりやゴミしか吸引できず、花瓶や仏像などに付着したほこりやゴミを吸引することは困難である。この場合、花瓶や仏像などを動かしたくない場合は、掃除機の除塵管を軽くたたいて除塵する必要があるが、このような叩きにより花瓶や仏像などを壊すことがある。
【０００３】
これらの問題を解決するために、回転ダスターの構造が提案されている。たとえば、特許文献１に示すように、ダスターと掃除機の羽根は歯車機構を介して接続されており、掃除機が作動するときに、羽根は吸引力により回転しながら、ダスターを回転させ、それによりほこりをはたいて吸引する。
【先行技術文献】
【特許文献】
【０００４】
【特許文献１】特開２００１−４６２９４号公報
【考案の概要】
【考案が解決しようとする課題】
【０００５】
しかしながら、従来の回転ダスター構造には、ダスターが高速で回転するときにダスターの毛が絡み合いやすく、回転速度を低下させると減速装置が複雑化するという問題がある。
以上に鑑み、本考案は、ほこりを容易にはたくことができるだけでなく、構造が簡単である掃除機用ブラシ構造を提供することを目的とする。さらに、本考案は、このような掃除機用ブラシ構造を備える掃除機を提供することを目的とする。
【課題を解決するための手段】
【０００６】
本考案の第１態様の実施形態に係る掃除機用ブラシ構造は、
第１取り付け部材と、
前記第１取り付け部材により保持され、先端が前記第１取り付け部材に対してＸＹ平面において揺動可能であり、先端には、ブラシヘッドが取り付け可能で、後端には、長さがＺ方向へ延在している第１スロットが設けられた第２取り付け部材と、
回転軸心を有し、前記第２取り付け部材の後方で保持され、先端には、前記回転軸心に対して偏心する連結部材が設けられ、前記連結部材が前記第１スロットに挿入される回転部と、を備え、
前記第１スロットの長さは、前記連結部材がＹＺ平面において前記回転部の回転軸心回りに自在に回動することを可能にするように設定され、
前記回転部が回転駆動されると、前記連結部材は、前記第２取り付け部材を揺動駆動する。
【０００７】
いくつかの態様では、前記回転部の回転軸心に対する前記連結部材の最外側から、前記回転部の回転軸心までの距離が、２〜１２ｍｍである。
【０００８】
いくつかの実施例では、前記第２取り付け部材の後端には、径方向において貫通する第２スロットが設けられ、前記第２スロットは前記第１スロットに連通しており、前記第２スロットの長さが前記第１スロットの長さ以上である。
【０００９】
いくつかの態様では、前記第１取り付け部材のＺ方向の中央部には、第３スロットが設けられ、前記第２取り付け部材の後端が前記第３スロットに収納される。
【００１０】
いくつかの態様では、前記回転部は、空気圧吸引力により回転駆動され、その周方向に分布している複数の羽根が設けられている。
【００１１】
いくつかの態様では、ハウジングをさらに備え、前記第１取り付け部材、前記第２取り付け部材の後端及び前記回転部は前記ハウジング内に収納され、前記第２取り付け部材の先端及び前記ブラシヘッドは前記ハウジングの先端外へ突出する。
【００１２】
いくつかの態様では、前記ブラシヘッドは、前記第２取り付け部材の先端に取り外し可能に取り付けられる。
【００１３】
いくつかの態様では、Ｚ方向の両端がそれぞれ前記ハウジングに架設されたヒンジピンをさらに備え、
前記第１取り付け部材には、Ｚ方向において貫通する第１ヒンジ孔が設けられ、前記第２取り付け部材には、前記第１ヒンジ孔と合わせた第２ヒンジ孔が設けられ、
前記ヒンジピンが前記第１ヒンジ孔と前記第２ヒンジ孔のそれぞれに挿通されることによって、前記第１取り付け部材は前記ハウジング内に固定され、前記第２取り付け部材は前記第１取り付け部材に対して揺動する。
【００１４】
いくつかの態様では、前記ハウジング内に収納され且つ前記回転部の後方に位置し、前記回転部の後端を支持する第１軸受けが取り付けられるブラケットをさらに備え、
前記第１取り付け部材のＺ方向の中央部には、第２軸受けが取り付けられ、前記第２軸受けは前記回転部の先端を支持する。
【００１５】
本考案の第２態様の実施例に係る掃除機は、集塵管を有し、前記集塵管の先端には、上記のいずれか一項の掃除機用ブラシ構造が取り付けられ、少なくとも前記ブラシヘッドの先端は、前記集塵管の先端外へ突出する。
【考案の効果】
【００１６】
本考案の掃除機用ブラシ構造は、ほこりを容易にはたくことができるだけでなく、簡単な構造とすることができる。
【図面の簡単な説明】
【００１７】
【図１】本考案の掃除機用ブラシ構造の一実施形態を示した斜視図である。
【図２】図１の掃除機用ブラシ構造の上面図である。
【図３】図２におけるＡ−Ａ部の断面図である。
【図４】本考案の掃除機用ブラシ構造の別の実施形態を示した断面図である。
【図５】本考案の掃除機用ブラシ構造を備える掃除機の一実施形態を示した模式図である。
【考案を実施するための形態】
【００１８】
以下、本考案の目的、特徴及び効果を完全に理解するために、実施形態を参照しながら本考案の構想及びそれによる技術的効果を明確かつ完全に説明する。明らかなように、説明する実施形態は、本考案の実施形態の一部に過ぎず、すべての実施形態ではなく、本考案の実施形態に基づいて、創造的な努力を必要とせずに当業者によって得られる他の実施形態は、すべて本考案の請求範囲に属する。
【００１９】
本考案の実施形態の説明において、方位に関する説明が記載された場合、たとえば、「上」、「下」、「前」、「後」、「左」、「右」、「Ｘ方向」、「Ｙ方向」、「Ｚ方向」、「ＸＹ平面」、「ＹＺ平面」などにより示される方位又は位置関係は図面に示される方位又は位置関係に基づいており、本考案を説明して、説明を簡略化させるために過ぎず、言及される装置又は素子は、特定の方位を有したり、特定の方位で構造・操作されたりすることを指示又は示唆するものではなく、したがって、本考案を制限するものとして理解すべきではない。
【００２０】
本考案の実施形態の説明において、ある構成要素が別の構成要素に「設置」、「固定」、「接続」、「取り付けられる」場合、別の構成要素に直接的に設置、固定、接続又は取り付けてもよく、間接的に設置、固定、接続又は取り付けてもよい。本考案の実施形態の説明において、「いくつか」が記載された場合、１つ以上を意味し、「複数」が記載された場合、２つ以上を意味し、「より大きい」、「未満」、「を超える」が記載された場合、この数を含まないものとして理解し、「以上」、「以下」及び「以内」が記載された場合、この数を含むと理解する。「第１」及び「第２」の場合は、構成要素を区別するために使用されると理解されるべきであるが、相対的な重要性を指示もしくは示唆する、又は、示された構成要素の数もしくは示された構成要素の順番を暗黙的に示すものではない。
【００２１】
図１は掃除機用ブラシ構造１００の一実施形態の斜視図であり、図２は掃除機用ブラシ構造１００の上面図であり、図３は図２におけるＡ−Ａ部の断面図であり、図１〜図３に示すように、本考案の第１態様の実施形態に係る掃除機用ブラシ構造１００は、第１取り付け部材１１０、第２取り付け部材１２０及び回転部１４０を備える。その中でも、第２取り付け部材１２０は第１取り付け部材１１０により保持され（たとえば支持方式で保持され）、第２取り付け部材１２０の先端１２０ａが第１取り付け部材１１０に対してＸＹ平面において揺動可能であり、第２取り付け部材１２０の先端１２０ａには、ブラシヘッド１３０が取り付け可能で、後端１２０ｂには、長さがＺ方向へ延在している第１スロット１２１が設けられ、回転部１４０は、第２取り付け部材１２０の後方で保持され（たとえば、支持方式で保持され）、回転部１４０の先端１４０ａには、回転部１４０の回転軸心Ｌ１に対して偏心する連結部材１４１が設けられ、連結部材１４１は第１スロット１２１に挿入され、第１スロット１２１の長さＳ１は、連結部材１４１がＹＺ平面において回転部１４０の回転軸心Ｌ１回りに自在に回動することを可能にするように設定され、回転部１４０が回転駆動されると、連結部材１４１は第２取り付け部材１２０を揺動駆動する。
【００２２】
本実施形態では、第２取り付け部材１２０は、回転部１４０の回転軸心Ｌ１に対して偏心する連結部材１４１によって、第１取り付け部材１１０に対して揺動するように駆動することで、第２取り付け部材１２０の先端１２０ａに取り付けられたブラシヘッド１３０を揺動させ、それにより、ほこりを容易にはたくことができるだけでなく、簡単な構造とすることができる。
【００２３】
さらに、ブラシヘッド１３０を回転ではなく揺動させることによって、ほこりをはたくため、ブラシヘッド１３０のブラシは、高い揺動速度で絡み合うことはない。
【００２４】
本実施形態では、回転部１４０がその回転軸心Ｌ１回りに回転するときに、連結部材１４１は、回転部１４０の回転軸心Ｌ１を中心として回動する。第１スロット１２１はＺ方向へ延在しており、且つ第１スロット１２１の長さは、連結部材１４１がＹＺ平面において回転部１４０の回転軸心Ｌ１回りに自在に回動することを可能にするように設定され、即ち、第１スロット１２１の長さはＺ方向における連結部材１４１の最上端からＺ方向における連結部材１４１の最下端までの距離より大きく、したがって、連結部材１４１は、回動するときに、Ｚ方向において第１スロット１２１により制限されることがない。さらに、連結部材１４１がＹＺ平面において回動するときに、連結部材１４１は、第１スロット１２１内を摺動し、第１取り付け部材１１０に対してＸＹ平面において揺動するように第２取り付け部材１２０を駆動する。
【００２５】
もちろん、回転部１４０は、軸方向がＸ方向において延びるように構成されており、即ち、回転部１４０の回転軸心Ｌ１はＸ方向に平行してもよい。
【００２６】
なお、ＸＹ平面において第２取り付け部材１２０をよりバランスよく駆動し、ある方向へ過度に揺動しないようにするために、第２取り付け部材１２０は、ＸＹ平面の中央位置（たとえば、図２の位置、即ち、連結部材１４１が第１スロット１２１の最上端又は最下端に位置する場合）に到達するとき、回転部１４０と同軸であるように構成されてもよい。
【００２７】
いくつかの実施形態では、回転部１４０の先端１４０ａは、軸状であり、連結部材１４１は、柱状、たとえば円柱状であり、回転部１４０の先端１４０ａの端面から回転部１４０の回転軸心Ｌ１の方向に突出する。連結部材１４１は、回転部１４０の先端１４０ａと一体成形して偏心軸構造となってもよく、たとえばピン軸などを回転部１４０の先端１４０ａの端面に挿入して偏心軸構造となってもよい。さらに、連結部材１４１の形状は、円錐状又はほかの形状であってもよい。
【００２８】
いくつかの実施形態では、連結部材１４１が第２取り付け部材１２０をスムーズに駆動し、連結部材１４１の回動半径が大きすぎることにより連結部材１４１と第２取り付け部材１２０が引っかかることを防止するために、ブラシ構造１００が掃除機たとえば８００Ｗ〜１０００Ｗのパワーの掃除機に取り付けられた場合、回転部１４０の回転軸心Ｌ１に対する連結部材１４１の最外側Ｌ２から、回転部１４０の回転軸心Ｌ１までの距離Ｓ２は、好ましくは６ｍｍ以下、より好ましくは５ｍｍ以下、さらに好ましくは４ｍｍ以下である。具体的には、４ｍｍの場合、たとえば、回転部１４０の先端１４０ａの軸径は約１２ｍｍであり、連結部材１４１の軸径は約４ｍｍであり、連結部材１４１の最外側Ｌ２から回転部１４０の先端１４０ａの回転軸心Ｌ１までの距離は約４ｍｍである。また、連結部材１４１の回動半径が小さすぎて、第２取り付け部材１２０の揺動の度合いが小さすぎることによって、ブラシヘッド１３０を効果的に揺動できないことを回避するために、連結部材１４１の最外側Ｌ２から回転部１４０の回転軸心Ｌ１までの距離は、好ましくは２ｍｍ以上、より好ましくは３ｍｍ以上である。また、ブラシ構造１００がたとえば１０００Ｗ以上のパワーの掃除機に取り付けられた場合、連結部材１４１の最外側Ｌ２から回転部１４０の回転軸心Ｌ１までの距離Ｓ２は、６〜１２ｍｍに設定されてもよい。もちろん、連結部材１４１の最外側Ｌ２から回転部１４０の回転軸心Ｌ１までの距離はそれに限定されず、当業者によって必要に応じて設定され得る。
【００２９】
いくつかの実施形態では、連結部材１４１が第２取り付け部材１２０をよりスムーズに駆動できるように、第１スロット１２１は、長円孔状であり、第１スロット１２１のＹ方向における幅は連結部材１４１の軸径よりもわずかに大きく設定され、たとえば、連結部材１４１の軸径が４ｍｍである場合、第１スロット１２１のＹ方向における幅は４．２ｍｍに設定される。それによって、連結部材１４１の最外側Ｌ２が第１スロット１２１の深さ方向（Ｘ方向）と、ＸＹ平面において夾角をなしたときに、即ち、連結部材１４１がＺ方向の最上端及び最下端以外のほかの位置に回転したときに、第１スロット１２１と連結部材１４１の間の隙間を通じて、連結部材１４１が自在に回動することができ、それによって、連結部材１４１は第２取り付け部材１２０をよりスムーズに駆動できる。
【００３０】
いくつかの実施形態では、連結部材１４１が第２取り付け部材１２０をスムーズに駆動するとともに、連結部材１４１が第２取り付け部材１２０から抜けることを防止するために、第２取り付け部材１２０の後端１２０ｂには、径方向において貫通する第２スロット１２２が設けられ、第２スロット１２２と第１スロット１２１は連通しており、第２スロット１２２の長さは第１スロット１２１の長さＳ１以上である。具体的には、たとえば、第２取り付け部材１２０の後端１２０ｂの端面に近い第１スロット１２１の一側から、第２取り付け部材１２０の後端１２０ｂの端面までの距離Ｓ３は約２ｍｍであり、第２スロット１２２のＸ方向における幅は約２．５ｍｍに設定される。その場合、連結部材１４１は第１スロット１２１に挿入され、且つ第２スロット１２２まで延びており、そして、連結部材１４１は、第２取り付け部材１２０の後端１２０ｂの端面から離れた第２スロット１２２の一側に当接しない。それによって、連結部材１４１と第１スロット１２１の接触長さを減少させるとともに、第２取り付け部材１２０に挿入された連結部材１４１の部分の距離を十分に長くし、それにより、連結部材１４１が第２取り付け部材１２０をスムーズに駆動するとともに、連結部材１４１が第２取り付け部材１２０から抜けることが防止される。
【００３１】
いくつかの実施形態では、掃除機用ブラシ構造１００の構造をコンパクト化するために、第１取り付け部材１１０のＺ方向の中央部には、第３スロット１１１が設けられ、第２取り付け部材１２０の後端１２０ｂは第３スロット１１１に収納される。具体的には、第１取り付け部材１１０は、略塊状であり、第３スロット１１１は、第１取り付け部材１１０のＺ方向の中央に開けられたノッチであり、この場合、第２取り付け部材１２０は略軸状であり、Ｚ方向の両側で面取りされており、第３スロット１１１のＺ方向における幅は第２取り付け部材１２０のＺ方向の幅よりもわずかに大きく、それによって、第２取り付け部材１２０はスムーズに揺動可能になる。第１取り付け部材１１０には、Ｚ方向において貫通する第１ヒンジ孔１１２が設けられ、第２取り付け部材１２０には、第１ヒンジ孔１１２と合わせる第２ヒンジ孔１２３が設けられ、第２ヒンジ孔１２３は、第１ヒンジ孔１１２よりもわずかに大きく設定してもよく、第１取り付け部材１１０には、ヒンジピン１５１が架設され、ヒンジピン１５１は、第１ヒンジ孔１１２と第２ヒンジ孔１２３のそれぞれに挿通され、それにより、第２取り付け部材１２０は第１取り付け部材１１０に対して自在に揺動可能である。第２取り付け部材１２０の後端１２０ｂが第３スロット１１１に収納されると、掃除機用ブラシ構造１００の構造をよりコンパクト化するだけでなく、第１取り付け部材１１０も第２取り付け部材１２０をより安定的に支持する。
【００３２】
いくつかの実施形態では、回転部１４０には、その周方向に分布している複数の羽根１４２が設けられ、回転部１４０は空気圧吸引力によって回転駆動される。具体的には、羽根１４２は、それぞれ回転部１４０の先端１４０ａと後端１４０ｂの間に配置されてもよく、羽根１４２の数は必要に応じて設定でき、たとえば本実施形態では、４枚の羽根１４２が設けられる。羽根１４２を周方向に均等に分布させるようにすると、回転部１４０は安定的に駆動される。さらに、羽根１４２は、回転部１４０に一体成形されてもよいし、取り外し可能な方式によって回転部１４０の先端１４０ａと後端１４０ｂの間に挿入されてもよい。
【００３３】
本実施形態では、回転部１４０に羽根１４２が設けられているため、回転部１４０は空気圧吸引力によって回転駆動され得る。たとえば、掃除機用ブラシ構造１００が負圧装置たとえば負圧式掃除機（図示せず）に接続される場合、負圧式掃除機はモータによって高速回転し、掃除機内の掃除機の羽根１４２を高速で回転させることで、密閉された掃除機のキャビティ内で空気真空を発生させて、ほこりを吸引する。このような場合、掃除機の羽根の高速回転による起動吸引力（負圧）は、回転部１４０の羽根１４２を駆動して、回転部１４０を回転させることができる。本実施形態では、掃除機用ブラシ構造１００は、回転部１４０に設けられた羽根１４２が、空気圧吸引力により回転駆動され、このように、掃除機用ブラシ構造１００の構造を大幅に簡素化させる。さらに、たとえば駆動装置、モータなどを省略できるため、補助電源を必要とせず、掃除機用ブラシ構造１００の作動に対する制御が容易になる。
【００３４】
もちろん、以上、羽根１４２が設けられた回転部１４０を例として説明したが、これに限定せず、回転部１４０はモータによって駆動されてもよい。
【００３５】
図４は、掃除機用ブラシ構造２００ａの別の実施形態の断面図であり、図４及び図３に示すように、いくつかの実施形態では、掃除機用ブラシ構造１００が、直接従来の掃除機２００たとえば真空掃除機に容易に取り付けられるように、掃除機用ブラシ構造１００は、ハウジング１５０をさらに備えてもよく、第１取り付け部材１１０、第２取り付け部材１２０の後端１２０ｂ及び回転部１４０はハウジング１５０内に収納され、第２取り付け部材１２０の先端１２０ａ及びブラシヘッド１３０はハウジング１５０の先端１５０ａ外へ突出する。具体的には、ハウジング１５０の形状は、掃除機の集塵管２１０の形状に応じて設定することができ、たとえば、ハウジング１５０は、後端１５０ｂにクランプ（図示せず）、ねじファスナー（図示せず）などが設けられることで、掃除機の集塵管２１０に取り付けられる。第１取り付け部材１１０及び回転部１４０は、それぞれハウジング１５０内に取り付けられ、第２取り付け部材１２０は、第１取り付け部材１１０に揺動可能に取り付けられ、回転部１４０の連結部材１４１に連結される。前記のようなヒンジピン１５１のＺ方向における両端は、それぞれハウジング１５０に架設され、第１取り付け部材１１０のＺ方向における両端１１０ａ、１１０ｂは、それぞれハウジング１５０の径方向の両側の内壁１５０ｃ、１５０ｄに当接して係合され、ハウジング１５０に架設されたヒンジピン１５１は、それぞれ第１ヒンジ孔１１２と第２ヒンジ孔１２３に挿通され、それにより、第１取り付け部材１１０はハウジング１５０内に固定され、第２取り付け部材１２０は第１取り付け部材１１０に対して揺動する。
【００３６】
また、いくつかの実施形態では、ハウジング１５０内に収納され且つ回転部１４０の後方に位置するブラケット１５２をさらに備え、ブラケット１５２には、第１軸受け１５３が取り付けられ、回転部１４０の後端１４０ｂは第１軸受け１５３によって支持され、第１取り付け部材１１０のＺ方向の中央部には、第２軸受け１１３が取り付けられ、第２軸受け１１３は回転部１４０の先端１４０ａを支持する。具体的には、ブラケット１５２は、直接ハウジング１５０と一体成形してもよいし、取り外し可能な方式、たとえばクランプ、螺合などの方式によってハウジング１５０内に取り付けられてもよく、第１軸受け１５３及び第２軸受け１１３は、すべて公知の軸受け、たとえば深溝玉軸受けであってもよく、それによって、回転部１４０を安定的に支持できる。また、回転部１４０の先端１４０ａは直接第１取り付け部材１１０に支持できるため、構造はよりコンパクトになる。もちろん、回転部１４０の取り付け方式はそれに限定されず、たとえば、回転部１４０は、先端１４０ａだけが第１取り付け部材１１０に支持され、羽根１４２が回転部１４０の後端１４０ｂに設置されるように構成されてもよく、又は、回転部１４０は、後端１４０ｂだけがブラケット１５２に支持され、羽根１４２が回転部１４０の先端１４０ａに設置されるように構成されてもよい。
【００３７】
いくつかの実施形態では、ブラシヘッド１３０を容易に交換可能にするために、ブラシヘッド１３０は、第２取り付け部材１２０の先端１２０ａに取り外し可能に取り付けられる。具体的には、ブラシヘッド１３０は、たとえばクランプ、螺合などの任意の公知の方式によって、第２取り付け部材１２０の先端１２０ａに取り外し可能に取り付けられる。ブラシヘッド１３０の長さは必要に応じて設定することができ、たとえば、ドアのコナー、花瓶のコナーや門のすき間などのほこりを簡便にはたくように５０ｍｍ以上に設定される。さらに、ブラシヘッド１３０の材料も必要に応じて選択でき、たとえば、選択し得るプラスチック材料は、たとえばＰＡ（ナイロン）、ＰＰ（ポリプロピレン）、ＰＢＴ（ポリブチレンテレフタレート）、ＰＥＴ（ポリテレフタル酸）、ＰＶＣ（ポリ塩化ビニル）など、又は、天然材料たとえば豚の毛、羊の毛、馬の毛などである。
【００３８】
図５は、掃除機用ブラシ構造１００（または１００ａ）を備える掃除機２００の一実施形態の模式図である。本考案の第２態様の実施形態に係る掃除機２００は、集塵管２１０を有し、集塵管２１０の先端２１１には、上記実施形態の掃除機用ブラシ構造１００が取り付けられ、且つ、少なくともブラシヘッド１３０の先端は、集塵管２１０の先端２１１外へ突出する。具体的には、掃除機用ブラシ構造１００は、集塵管２１０内に直接設置されてもよく、掃除機用ブラシ構造１００がハウジング１５０を有する場合、掃除機用ブラシ構造１００は、ハウジング１５０を介して直接集塵管２１０の先端２１１に取り付けられてもよい。なお、本実施形態の掃除機２００は、公知の市販掃除機であり得、家庭用の真空掃除機であってもよいし、産業用の真空掃除機であってもよいし、他の動力の掃除機であってもよく、回転部１４０を回転駆動できるものであればよい。
【００３９】
家庭用の真空掃除機の場合、上記掃除機用ブラシ構造１００が設けられているので、集塵するとともに、ドアのコナー、花瓶のコナーや門のすき間などにおけるほこりをはたくことができ、したがって、ほこりをより容易に吸引でき、そして集塵管２１０をはたく動作により障子紙や花瓶などを壊すことを防止する。また、掃除機用ブラシ構造１００は、揺動方式でブラシヘッド１３０を駆動するので、長くて柔軟な刷毛を使用しても、ブラシヘッド１３０の絡み合いを防止できる。さらに、掃除機用ブラシ構造１００は、直接偏心軸構造の連結部材１４１を介して、ブラシヘッド１３０が取り付けられた第２取り付け部材１２０を駆動するので、その構造が簡単になる。そして、掃除機用ブラシ構造１００の回転部１４０は負圧駆動羽根１４２を通じて回転して第２取り付け部材１２０を揺動駆動することによって、補助電源を不要にするだけでなく、掃除機用ブラシ構造１００の作動に対する制御が容易になる。
【００４０】
上記特定の実施形態で説明された特定の構成要素は、矛盾しない限り、任意の方式で組み合わせることができ、余分な繰り返しを回避するために、本考案の様々な可能な組み合わせについては、別々に説明しない。
【００４１】
上記実施形態は、本考案の技術案を説明するために過ぎず、それを限定するものではなく、本考案の範囲から逸脱しないあらゆる修正又は同等の置換は本考案の技術案に含まれる。
【符号の説明】
【００４２】
１００  掃除機用ブラシ構造
１１０  第１取り付け部材
１１１  第３スロット
１１２  第１ヒンジ孔
１１３  第２軸受け
１２０  第２取り付け部材
１２１  第１スロット
１２２  第２スロット
１２３  第２ヒンジ孔
１３０  ブラシヘッド
１４０  回転部
１４１  連結部材
１４２  羽根
１５０  ハウジング
１５１  ヒンジピン
１５２  ブラケット
１５３  第１軸受け
２００  掃除機
２１０  集塵管
【図１】
0003229225.tif 000003
【図２】
0003229225.tif 000004
【図３】
0003229225.tif 000005
【図４】
0003229225.tif 000006
【図５】
0003229225.tif 000007